(57)【要約】      （修正有）【課題】コンテナの構造を複雑にすること無く、小さいコンテナの傾斜角度でスムーズに且つ確実に粉粒体排出口に移動させることができる箱型コンテナ装置を提供する。【解決手段】前部パネル１２ａとフロアパネル１０とサイドパネル１１とを有し、傾斜時に下端部に位置する箇所に粉粒体排出ドア１５が設けられた箱型コンテナ１であって、粉粒体排出ドア１５に対向する面側に粉粒体を排出ドア１５に案内するテーパー面を構成する傾斜パネル１２が設けられている。【選択図】  図２
2008087853.tif 000002
【特許請求の範囲】
【請求項１】
傾斜時に下端部に位置する箇所に流動体排出口が設けられたコンテナであって、前記流動体排出口に対向する面側に流動体を排出口に案内するテーパー面が形成されていることを特徴とする箱型コンテナ装置。
【請求項２】
前記コンテナは、前部パネルとフロアパネルとサイドパネルとを有し、前記前部パネルとフロアパネルとの間に前記流動体排出口の方向に傾斜させたテーパ面が形成されていることを特徴とする請求項１に記載の箱型コンテナ装置。
【請求項３】
前記テーパ面は、前部パネルとフロアパネルとの間に排出ドアの方向に傾斜させたて設けられる傾斜パネルで構成されることを特徴とする請求項１に記載の箱型コンテナ装置。
【請求項４】
前記フロアパネル、サイドパネルと傾斜パネルは粉粒体に対して滑りやすい密度の高いパネルが用いられていることを特徴とする請求項３に記載の箱型コンテナ装置。
【請求項５】
前記傾斜パネルは、伸縮自在に構成され、前記傾斜パネルとフロアパネルとの間の傾斜角度が変更可能であることを特徴とする請求項３に記載の箱型コンテナ装置。
【請求項６】
前記箱型コンテナを所定角度に傾斜させる傾斜手段が設けられていることを特徴とする請求項１ないし５のいずれか１項に記載の箱型コンテナ装置。
【請求項７】
前記傾斜手段はダンプ装置であることを特徴とする請求項６に記載の箱型コンテナ装置。
【発明の詳細な説明】
【技術分野】
【０００１】
この発明は、コンテナに積載・貯蔵された粉粒体などの流動体製品を迅速に排出することが可能な箱型コンテナ装置に関する。
【背景技術】
【０００２】
従来、グルテンフィード（Gluten feed）、グルテンミール（Gluten meal）、ドライジャーム（Dry germ）、大麦、小麦等の粉粒体の輸送には、専用コンテナ車両が使用されている。しかし、近年、粉粒体の簡易な輸送方法として、箱型コンテナを利用したバルクコンテナによる輸送方法が注目されている。
【０００３】
かかるバルクコンテナは、例えば、車両に搭載された箱型コンテナに内袋を設置し、この内袋に粉粒体を充填して輸送し、目的地において箱型コンテナを、傾斜装置を有する積載台上に搭載し、上記箱型コンテナを傾斜させ、傾斜時に上記内袋の下端となる位置に設けられた粉粒体排出口より粉粒体を排出させている。
【０００４】
上記バルクコンテナから粉粒体を排出するに際しては、傾斜時に下端部となる位置に設けられた内袋の粉粒体排出口に排出用の粉粒体ポンプの如き吸引装置を接続し、徐々に箱型コンテナを傾斜させて粉粒体の排出が行なわれる。
【０００５】
ところが、粉粒体はブリッジングを起こし易く、傾斜時の粉粒体の滑り性が悪い為、箱型コンテナを傾斜して粉粒体排出時における箱型コンテナの傾斜角度を、粉粒体の安息角より予測される角度より大きく取る必要があった。そのため、安息角の大きい粉粒体が充填され輸送された箱型コンテナから粉粒体を排出する際、ブリッジングを解消可能な上記角度までコンテナを徐々に傾けて行くと、傾斜により安息角を越えた粉粒体が箱型コンテナの後方に滑り落ちるより先に、バルクコンテナ内の粉粒体が一度に排出口が位置する内袋の端部側に落下し、内袋の支持部が破損し、場合によっては、内袋が箱型コンテナより脱落するという事態を招き、安全性の面において問題が生じる。
【０００６】
そこで、小さいコンテナの傾斜角度でスムーズに且つ確実に粉粒体排出口に移動せしめるために、積載台に箱型コンテナが、傾斜装置によって傾斜可能に搭載され、上記箱型コンテナに、一端に粉粒体排出口を有する内袋を、粉粒体排出口がコンテナ傾斜時に下端部に位置するように内蔵し、且つ、上記箱型コンテナにピストン型バイブレータよりなる振動装置を付設したバルクコンテナが提案されている（例えば、特許文献１参照）。
【特許文献１】特開２００５−２０６２４８号公報
【発明の開示】
【発明が解決しようとする課題】
【０００７】
上記したバルクコンテナにおいては、内袋に充填された粉粒体を効果的に流動化するために、内袋を内蔵する箱型コンテナに振動装置を付設している。このため、上記した装置においては、振動装置などの部材が必要となり、その分コンテナの構造が複雑になるとともに、コストが嵩むという問題点があった。
【０００８】
そこで、この発明は、コンテナの構造を複雑にすること無く、小さいコンテナの傾斜角度でスムーズに且つ確実に粉粒体排出口に移動させることができるコンテナを提供することを目的とする。
【課題を解決するための手段】
【０００９】
この発明の箱型コンテナ装置は、傾斜時に下端部に位置する箇所に流動体排出口が設けられたコンテナであって、前記流動体排出口に対向する面側に流動体を排出口に案内するテーパー面が形成されていることを特徴とする。
【００１０】
更に、前記コンテナは、前部パネルとフロアパネルとサイドパネルとを有し、前記前部パネルとフロアパネルとの間に前記流動体排出口の方向に傾斜させたテーパ面が形成されていることを特徴とする。
【００１１】
前記テーパ面は、前部パネルとフロアパネルとの間に排出ドアの方向に傾斜させて設けられる傾斜パネルで構成することができる。
【００１２】
また、前記フロアパネル、サイドパネルと傾斜パネルは粉粒体に対して滑りやすい密度の高いパネルを用いると良い。
【００１３】
また、前記傾斜パネルは、伸縮自在に構成され、前記傾斜パネルとフロアパネルとの間の傾斜角度が変更可能に構成ことができる。
【００１４】
また、前記箱型コンテナを所定角度に傾斜させる傾斜手段が設けられ、前記傾斜手段としては、ダンプ装置を用いればよい。
【発明の効果】
【００１５】
上記したように、テーパ面を設けることで、箱型コンテナの奥から流動体排出口の方へ押し出す力が加わり、箱型コンテナの傾斜角度が小さくても内部に積載された流動体を排出方向へスムーズに流れ出すことができる。
【発明を実施するための最良の形態】
【００１６】
この発明の実施の形態について図面を参照しながら詳細に説明する。なお、図中同一または相当部分には同一符号を付し、説明の重複を避けるためにその説明は繰返さない。
【００１７】
図１は、この発明の箱型コンテナ（バルクコンテナ）の実施形態を粉粒体排出時の状態と共に示す模式図、図２は、この発明の箱型コンテナ（バルクコンテナ）の実施形態の概略断面側面図、図３は、この発明の箱型コンテナ（バルクコンテナ）の実施形態の概略上面図、図４は、この発明の箱型コンテナ（バルクコンテナ）の実施形態の概略断面上面図である。
【００１８】
図１に示すように、この発明の箱型コンテナ（バルクコンテナ）装置は、３軸トレーラ２０の積載台２１に搭載される。そして、この３軸トレーラ２０が傾斜手段としてのダンプ装置２６を有するトラクタ２５に牽引される。そして、トラクタ２５に取り付けたダンプ装置２６によって、箱型コンテナ１は、ダンプ装置２６が取り付けられた前部側が上昇可能に構成されている。箱型コンテナ１は、ダンプ装置２６が取り付けられる側とは逆の後部側を下にして傾斜可能となっている。そして、粉粒体（流動体）排出ドア１５が後部側面に配置されている。
【００１９】
この発明において、箱型コンテナ１は、鉄、アルミニウム等の金属、プラスチックなどの材質より成る直方体、或いは正方体の箱体であり、３軸トレーラ２０の積載台２１に搭載した場合に、その後部側面にドアを有して開放可能したものであれば、公知のものが特に制限無く使用される。
【００２０】
かかるコンテナは、一般に、船等に積載されることより、海上コンテナと称され、その大きさによって、２０フィートコンテナ、４０フィートコンテナなどの品番で取り扱われている。この発明では、その種類を特定するものではないが、輸送効率などの面を勘案すると、好適に４０フィートコンテナが用いられる。また、運搬や用途によっては、２０フィートコンテナが用いられる。
【００２１】
この発明において、傾斜手段は、公知の構造を有するものが特に制限無く採用される。一般には、油圧装置によるリフトからなるダンプ装置２６が使用される。
【００２２】
また、箱型コンテナ１のダンプ装置２６への取り付けは、箱型コンテナ１が一端（図１においては、トレーラ２０の積載台２１の前方）をダンプ装置２６によって持ち上げることにより、箱型コンテナ１を傾斜せしめる構造であれば特に制限されない。一般には、ダンプ装置２６の作用点（リフトの接続部）が箱型コンテナの一端に接続される。
【００２３】
また、積載台２１は、図１に示すように、移動可能な荷台、具体的には、車両と切り離しが可能なトレーラー方式のものであってもよいし、車両と一体となったものでもよいし、固定された台でもよい。。
【００２４】
箱型コンテナ１の内部は、図２及び図４に示すように、後部側面に設けた排出ドア１５と対向する位置の前部パネル１２ａとフロア（床面）パネル１０と、両サイドパネル１１、１１、テーパ面を構成する傾斜用パネル１２を備える。
【００２５】
このテーパ面を構成する傾斜用パネル１２、フロア（床面）パネル１０、両サイドパネル１１、１１、前部パネル１２ａは、粉粒体に対して滑りやすい密度の高いパネルが用いられる。パネルとしては、化粧コンパネの表面に滑りやすい密度の高いアルミニウム、ステンレスなどの薄板を貼り付けたり、アルミニウム、ステンレス板、鉄板を自体を用いることができる。更に、滑りを良くするために、表面にフッ素加工を施しても良い。
【００２６】
ところで、従来の箱型コンテナ１００は、図１０に示すように、前部パネル１１２とフロア（床面）パネル１１０と、両サイドパネル１１１の各コーナーは、互いに直交して接続されている。この関係で、特に、隅２カ所とフロア（床面）パネル１１０と前部パネル１１２の壁面部分に、収容した粉粒体（例えば、グルテンミールなど）が溜まる。そして、図に示すように、ブリッジング１２０が発生し、コンテナ角度を上げていっても、下に流れ出さない状態が発生した。これは、上部の物の圧力により、下層が踏み固められて、そのもの自身が１個の固形物のような状態になり、浅く且つ広く壁面にこびり付き、傾斜角度を大きくしても流れでないからだと考えられる。
【００２７】
そこで、この発明の箱型コンテナにおいては、前部パネル１２ａとフロアパネル１０との間に排出ドア(後部ドア)１５の方向に傾斜させた傾斜パネル１２を設け、テーパ面を設けている。そして、このテーパ面を構成する傾斜パネル１２とフロア（床面）パネル１０との間の傾斜角度Ｂを９０度より小さくする。このように、テーパ面を構成する傾斜パネル１２を設けることで、箱型コンテナの奥から後部ドア１５の方へ押し出す力が加わり、箱型コンテナ１の傾斜角度が小さくても内部に積載された粉粒物がドア１５の排出方向へスムーズに流れ出すことができる。
【００２８】
図５は、この発明にかかる箱型コンテナの異なる実施形態をそれぞれ示す模式図である。
【００２９】
この実施形態では、長さ１２，１９２ｍｍ、高さ２，３９１ｍｍ、幅２，４３８ｍｍの４０フィートコンテナといわれる箱型コンテナにおいて、フロア（床面）パネル１０から前部パネル１２ａに向かって、長さ（Ｃ）３０００ｍｍ〜５０００ｍｍにテーパ面を構成する傾斜パネル１２を設けている。このテーパ面を構成する傾斜パネル１２とフロア（床面）パネル１０との間の傾斜角度Ｂは、３５度から２２度である。
【００３０】
図５（ａ）は、長さＣが３０００ｍｍ、傾斜角度が３５度、同（ｂ）は、長さＣが３５００ｍｍ、傾斜角度が３０度、同（ｃ）は、長さＣが４０００ｍｍ、傾斜角度が２７度傾斜角度、同（ｄ）は、長さＣが４５００ｍｍ、傾斜角度が２４度、同（ｅ）は、長さＣが５０００ｍｍ、傾斜角度が２２度のものをそれぞれ示す。
【００３１】
この傾斜角度Ｂが緩やかになるほどフロア（床面）パネル１０とテーパ面を構成する傾斜パネル１２との間のなす角度が大きくなり、テーパー面を構成する傾斜パネル１２とフロア（床面）パネルとの境目付近でのブリッジングの発生が抑制できる。特に、このテーパ面を構成する傾斜パネル１２を設けることで、コーナーの隅に粉粒体が付着する現象が無くなり、粉粒体がスムーズに流れ落ちる。
【００３２】
更に、このテーパ面を構成する傾斜パネル１２を設けることで、積載された粉粒体の重心位置が排出ドア（後部ドア）側に移動することになる。重心位置が、テーパ面を設けていないものに比べて、後部側に位置するので、前部パネル１２ａ側に設けた傾斜手段としてのダンプ装置２６は、従来のものより小さな力で箱型コンテナ１を傾斜させることができる。
【００３３】
図５に示したものは、４０フィートコンテナといわれる箱型コンテナを例に挙げてこの発明を説明しているが、２０フィートコンテナにおいても同様に、フロア（床面）パネル１０とテーパ面を構成する傾斜パネル１２とを設ければよい。長さ５，９２５ｍｍ、高さ２，３７９ｍｍ、幅２，３４０ｍｍの２０フィートコンテナにおいて、フロア（床面）パネル１０から前部パネル１２ａに向かって、長さ（Ｃ）３０００ｍｍ〜５０００ｍｍにテーパ面を構成する傾斜パネル１２を設ければよい。このテーパ面を構成する傾斜パネル１２とフロア（床面）パネル１０との間の傾斜角度Ｂは、３５度から２２度となる。
【００３４】
このテーパ面を構成する傾斜パネル１２の角度は、積載する粉粒体の種類に応じて変更すれば良く、粘性が高くなるものほど、ブリッジングが起こりやすいので、傾斜角度を緩やかにする方が好ましい。但し、傾斜角度を緩くすればするほど、箱型コンテナ１内に収容できる粉粒体の量が減少するので、積載する粉粒体の種類に応じて最適な角度を選択すればよい。
【００３５】
このため、テーパ面を構成する傾斜パネルを伸縮自在に構成し、積載する粉粒体の種類に応じて、このテーパ面を構成する傾斜パネルとフロア（床面）パネル１０との間の傾斜角度を選定し、傾斜パネルを伸縮させて、床面に接するように構成すれば、多種の粉粒体をスムーズに排出することができる。
【００３６】
図７ないし図９に、テーパ面を構成する傾斜パネルを伸縮自在に構成した実施形態を示す。図７は、この発明の他の実施形態にかかる箱型コンテナ装置の概略断面側面図、図８は、この発明の他の実施形態にかかる箱型コンテナの概略上面図、図９は、この発明の他の実施形態にかかる箱型コンテナ装置において、傾斜パネルの長さを伸ばした状態の概略断面側面図である。
【００３７】
この図７に示すように、この実施形態におけるテーパ面を構成する傾斜パネル１２０は、第１の傾斜パネル１２１内に第２の傾斜パネル１２２が移動自在に装着される。第１の傾斜パネル１２１より引き出す第２の傾斜パネル１２２の長さを調整することにより、傾斜パネル１２０の長さが伸縮自在に構成されている。第１の傾斜パネル１２１の端部はヒンジ１２３により回転自在に取り付けられ、傾斜パネル１２０の長さに対応して、傾斜角度が変化できるように構成されている。
【００３８】
フロア（床面）パネル１０には、第２の傾斜パネル１２１の先端部が挿入されて固定される挿入孔１２６１から１２６５が設けられている。この挿入孔１２６１から１２６５は傾斜パネル１２０の傾斜角度に対応した位置に設けられている。
【００３９】
図７、図８に示すものは、挿入孔１２６３に第２の傾斜パネル１２１を挿入している。図９に示すものは、傾斜パネル１２０の長さを長くし、フロア（床面）パネル１０と傾斜パネル１２０との間の傾斜角度を緩やかにして、排出ドア１５側に近い方の挿入孔１２６５に第２の傾斜パネル１２１を挿入している。このように、積載する粉粒体の種類に応じて、テーパ面を構成する傾斜パネル１２０の長さを調整して、傾斜パネル１２０とフロア（床面）パネル１０との間の傾斜角度を選定することができる。
【００４０】
尚、挿入孔１２６１から１２６５を設けずに、フロア（床面）パネル１０にレール等を設け、レールに第２の傾斜パネル１２１の先端部を嵌め込み、レールに沿って移動させ、所定位置に固定させるように構成させてもよい。
【００４１】
次に、グルテンミールを積載した具体例につき説明する。箱型コンテナ１は４０フィートの上部が開口したドライコンテナであり、グルテンミールを積載後、上部開口部を遮蔽部材１６で覆った。図１０は、従来のコンテナ１００として、前部パネル１１２とフロア（床面）パネル１１０と、両サイドパネル１１１として、化粧コンパネの表面に滑りやすい密度の高いアルミニウムの薄板を貼り付けたものである。図６は、この発明のコンテナであり、高さ２０７６ｍｍの前部パネル１２ａの位置から４５００ｍｍの長さまでテーパ面を構成する傾斜パネル１２を設けたものである。このときのテーパ面を構成する傾斜パネル１２のなす角度は２４度である。フロア（床面）パネル１０と、両サイドパネル１１、１１と、傾斜パネル１２とを化粧コンパネの表面に滑りやすい密度の高いアルミニウムの薄板を貼り付けたものである。
【００４２】
３軸トレーラ２０積載台２１の上にそれぞれ箱型コンテナ１（１００）を搭載し、ダンプアップ装置２６により、箱型コンテナ１（１００）を傾斜させ、後部ドア１５から内部のグルテンミールを排出させた。３軸トレーラ２０の上のシャーシの関係上、箱型コンテナ１（１００）の傾斜角度は水平面から４７度の位置までしか上昇させれなかった。この状態で、箱型コンテナ内に積載したグルテンミールは、この発明のコンテナにおいては、全て流れ出て排出できた。
【００４３】
これに対して、従来のコンテナにおいては、図１０に示すように、フロアパネルと前部パネルの壁面部分に、グルテンミールが残留した。
【００４４】
このように、この発明による箱型コンテナ装置においては、スムーズに且つ確実に粉粒体排出口に移動させることができた。
【００４５】
上記した実施形態においては、箱型コンテナ１を傾斜させるのに、ダンプ装置を用いたが、傾斜させる方法は、これに限らず、リフト装置やクレーンフックなどを用いることができる。
【００４６】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【図面の簡単な説明】
【００４７】
【図１】この発明の箱型コンテナ装置の実施形態を粉粒体排出時の状態と共に示す模式図である。
【図２】この発明の実施形態にかかる箱型コンテナ装置の概略断面側面図である。
【図３】この発明の実施形態にかかる箱型コンテナ装置の概略上面図である。
【図４】この発明の実施形態にかかる箱型コンテナ装置の概略断面上面図である。
【図５】この発明にかかる箱型コンテナ装置の異なる実施形態をそれぞれ示す模式図である。
【図６】この発明の実施形態にかかる箱型コンテナ装置を傾斜させた状態を示す模式図である。
【図７】この発明の他の実施形態にかかる箱型コンテナ装置の概略断面側面図である。
【図８】この発明の他の実施形態にかかる箱型コンテナの概略上面図である。
【図９】この発明の他の実施形態にかかる箱型コンテナ装置において、傾斜パネルの長さを伸ばした状態の概略断面側面図である。
【図１０】従来の箱型コンテナ装置を傾斜させた状態を示す模式図である。
【符号の説明】
【００４８】
１  箱型コンテナ、１０  フロア（床面）パネル、１１  サイドパネル、１２  傾斜パネル、１２ａ  前部パネル、１５  粉粒体（流動体）排出ドア、２０  ３軸トレーラ、２１  積載台、２５  トラクタ、２６  ダンプ装置。
【図１】
2008087853.tif 000003
【図２】
2008087853.tif 000004
【図３】
2008087853.tif 000005
【図４】
2008087853.tif 000006
【図５】
2008087853.tif 000007
【図６】
2008087853.tif 000008
【図７】
2008087853.tif 000009
【図８】
2008087853.tif 000010
【図９】
2008087853.tif 000011
【図１０】
2008087853.tif 000012